(57)【特許請求の範囲】
【請求項１】
幟旗の縦縁部に設けた帯状の乳の上縁に引っかけて取り付けるもので、環状の吊り手を有するオモリと、前記吊り手を引っかけるフックを備えた掛止部材からなり、該掛止部材は、内側上端に前記フックが形成され、その左右において縦方向に延びる互いに反対方向外向きの係止面を有する本体部と、上端において本体部とつながり、本体部の前記各係止面に対応して縦方向に延びかつ前記係止面との間で乳を挟む互いに反対方向内向きの係止面をそれぞれ有する左右のクリップ部からなり、本体部の係止面とクリップ部の係止面にはそれぞれ係止用の突起が形成され、さらに全体がプラスチックの一体成形体であることを特徴とする幟旗の舞い上がり防止具。
【請求項２】
幟旗の縦縁部に設けた帯状の乳の上縁に引っかけて取り付けるもので、環状の吊り手を有するオモリと、前記吊り手を引っかけるフックを備えた掛止部材からなり、該掛止部材は、内側上端に前記フックが形成され、その左右において縦方向に延びる互いに反対方向外向きの係止面を有する環状の本体部と、上端において本体部とつながり、本体部の前記各係止面に対応して縦方向に延びかつ前記係止面との間で乳を挟む互いに反対方向内向きの係止面をそれぞれ有する左右のクリップ部からなり、本体部の係止面とクリップ部の係止面にはそれぞれ係止用の突起が形成され、さらに全体がプラスチックの一体成形体であることを特徴とする幟旗の舞い上がり防止具。
【請求項３】
前記フックは板状で中央部に引っかけ用の穴を有し、その穴から内側が狭く外側に広くなったスリット状の開口が斜め上向きに形成され、かつ開口の下縁又は上縁のいずれか一方又は両方は断面がエッジ状とされていることを特徴とする請求項１又は２に記載された幟旗の舞い上がり防止具。
【発明の詳細な説明】
【０００１】
【発明の属する技術分野】
本発明は縦縁部及び上縁部に所定間隔をあけて複数個の帯状の乳（ち；帯状の布で作った取付用の輪）を有し、縦縁部の乳をほぼ鉛直に立てた旗竿にはめ、上縁部の乳をほぼ水平の吊り棒にはめるようにした幟旗に関し、より詳しくは、強風にあおられた場合の幟旗の舞い上がり（ずり上がり）及び旗竿への絡み付きを防止する舞い上がり防止具に関する。
【０００２】
【従来の技術及び発明が解決しようとする課題】
上記のような幟旗は、風がないときは図４（ａ）に示すように矩形に広がった状態であるが、強風にあおられると舞い上がったり（同図（ｂ））、旗竿に絡みついたりして（同図（ｃ））、宣伝広告の用をなさなくなる。なお、旗竿に絡みつくのは幟旗が旗竿に沿って舞い上がるのが原因である。
【０００３】
これを防止する手段として、例えば特開平９−２９２８４９号公報には、縦縁部の最下端の乳にオモリを取り付けることが記載されている。同公報に具体的に開示されたオモリは、スプリングの効いたクリップで乳を下から挟み、そのクリップに砂袋を吊り下げるというものであるが、強風にあおられて幟旗が上下左右にバタつくとき（吊り下げられた砂袋も強風で揺れる）、そのはずみでクリップが乳から外れやすいという問題がある。
【０００４】
一方、本出願人は、先にオモリ本体部と乳の上縁に引っ掛ける左右一対のクリップからなる幟旗の舞い上がり防止具を発明し出願した（特願２０００−３０７１１３参照）。この舞い上がり防止具は、オモリ本体部が乳の内側に装着されるので風が直接当たらず、かつクリップが乳の上縁に引っ掛かっているので、強風で幟旗がバタついても乳から外れにくい。同時に、幟旗の運搬又は保管作業等のあいだ、幟旗を横向きにしたり下向きにしたときでも簡単に脱落しないという利点がある。しかし、プラスチック製のケースにオモリを収容するので、脱落を防止するために掛止部の付いた専用のオモリが必要であり、コスト高となるという問題がある。
従って、本発明は、先発明に係る舞い上がり防止具と同等の機能を有すると同時に、市販のオモリでもそのまま利用できる低コストのクリップ付き舞い上がり防止具を得ることを目的とする。
【０００５】
【課題を解決するための手段】
本発明に係る幟旗の舞い上がり防止具は、幟旗の縦縁部に設けた帯状の乳の上縁に引っかけて取り付けるもので、環状の吊り手を有するオモリと、前記吊り手を引っかけるフックを備えた掛止部材からなり、該掛止部材は、内側上端に前記フックが形成され、その左右において縦方向に延びる互いに反対方向外向きの係止面を有する本体部と、上端において本体部とつながり、本体部の前記各係止面に対応して縦方向に延びかつ前記係止面との間で乳を挟む互いに反対方向内向きの係止面をそれぞれ有する左右のクリップ部からなり、本体部の係止面とクリップ部の係止面にはそれぞれ係止用の突起が形成され、さらに全体がプラスチックの一体成形体であることを特徴とする。
【０００６】
この発明のより具体的な１つの形態として、環状の吊り手を有するオモリと、前記吊り手を引っかけるフックを備えた掛止部材からなり、該掛止部材は、内側上端に前記フックが形成され、その左右において縦方向に延びる互いに反対方向外向きの係止面を有する環状の本体部と、上端において本体部とつながり、本体部の前記各係止面に対応して縦方向に延びかつ前記係止面との間で乳を挟む互いに反対方向内向きの係止面をそれぞれ有する左右のクリップ部からなり、本体部の係止面とクリップ部の係止面にはそれぞれ係止用の突起が形成され、さらに全体がプラスチックの一体成形体である舞い上がり防止具を挙げることができる。
【０００７】
なお、以上述べた舞い上がり防止具において、前記掛止部材のフックは板状で中央部に引っかけ用の穴を有し、その穴から内側が狭く外側に広くなったスリット状の開口が斜め上向きに形成され、かつ開口の下縁又は上縁のいずれか一方又は両方は断面がエッジ状とされていることが望ましい。
【０００８】
【発明の実施の形態】
以下、図１〜３を参照して、本発明に係る幟旗の舞い上がり防止具の具体例を説明する。
図１に示す舞い上がり防止具は掛止部材１とオモリ７からなり、前記掛止部材１は、縦長環状の本体部２と、上端において本体部２の両側につながった左右のクリップ部３からなるプラスチックの一体成形品である。本体部２は、上端の水平部４と、その左右において縦方向に延びる垂直部５、５及びそれを連結する下端の湾曲部６からなり、水平部４の内側（下側）にはオモリ７の環状の吊り手８を引っかける板状のフック９が、その開口１０を本体部２の厚み方向（紙面に垂直）に対し垂直（紙面に平行）に向けて形成されている。クリップ部３、３は本体部２の水平部４の左右各端部につながり、垂直部５、５に沿って縦方向に延びている。
【０００９】
本体部２の垂直部５、５とクリップ部３、３の間にそれぞれ幟旗の乳が挿入され挟まれる。すなわち垂直部５、５の外向きの面５ａとそれに対向するクリップ部３、３の面３ａがそれぞれ本発明でいう係止面（以下、係止面５ａ、係止面３ａという）となり、該係止面５ａ、３ａには乳を係止する突起１１が上下方向でみて互いに位置を変えて形成され、これが乳に食い込んで抜け止めとなる。なお、この突起１１は乳の抜け止めになる向きに形成されるのが望ましい。
オモリ７は掛止部材１の本体部２の環状の中に吊される。この例では、本体部２の環状の形状に合わせ、偏平な太鼓型のオモリ７を用いたが、短冊型、ナス型等、他の形状のオモリ（市販の釣り用オモリでよい）を用いることもできる。その重量についても、例えば風の強さ等を考慮して適宜選択できる。
【００１０】
フック９は、詳しくは図２に示すように、中央部に引っかけ用の穴１２を有し、その穴１２から内側がごく狭く外側に向けてやや広くなる開口１０がスリット状に斜め上向きに形成され、かつ開口１０の下縁１０ａは断面がエッジ状とされている。オモリ７の吊り手８をこのフック９に引っかけるときは、吊り手８を開口１０の広がった端に当てがい、斜め下に引き下げて穴１２に押し入れる。このとき開口１０の特に薄肉とされた下縁１０ａが広がり、容易に吊り手８を穴１２に押し入れることができる。その後は下縁１０ａはプラスチックの弾性により復帰するので、オモリ７はフック９から外れにくい。
【００１１】
使用時は、図３に示すように、掛止部材１の本体部２を幟旗１３の下端の乳１４の内側に差し込み、左右のクリップ３をそれぞれ両側の乳１４の上縁に引っかけて装着する。差し込むとき、乳１４は本体部２の湾曲部６に案内され、垂直部５とクリップ部３の間に導入される。装着後は乳１４は係止面５ａ、３ａに挟まれ、そこに形成された突起１１が乳１４に両面から食い込み、この掛止部材１が乳１４から簡単に外れることのないようになっている。なお、図３において、１５は旗竿、１６は幟旗１３と乳１４の縫い付け部である。
また、旗がバタついたときオモリ７が揺れるが、オモリ７は本体部２の中で両側を垂直部５、５に挟まれているので、揺れの範囲はきわめて限定されたものとなる。
【００１２】
【発明の効果】
本発明によれば、強風下でも外れることなく幟旗の舞い上がりと絡みつきを防止できると同時に、幟旗の運搬又は保管作業等のあいだ簡単に外れたりせず、さらに市販のオモリでもそのまま利用でき、低コストで舞い上がり防止具を提供することができる。
【図面の簡単な説明】
【図１】本発明に係る舞い上がり防止具の正面図（ａ）、側面図（ｂ）、平面図（ｃ）及び底面図（ｄ）である。
【図２】掛止部材のフックの構造及び機能を説明するための要部正面図（ａ）、左要部側面図（ｂ）及び右要部側面図（ｃ）である。
【図３】舞い上がり防止具の装着状態を示す正面図（ａ）及び平面図（ｂ）である。
【図４】幟旗の無風時の状態（ａ）、強風時の状態（ｂ）及び絡みついたときの状態（ｃ）を説明する図である。
【符号の説明】
１  掛止部材
２  本体部
３  クリップ部
３ａ、５ａ  係止面
７  オモリ
８  オモリの吊り手
９  フック
１０  開口
１０ａ  開口の下縁
１１  突起
１２  フックの穴
１３  幟旗
１４  乳
１５  旗竿
【図１】
0003564408.tif 000002
【図２】
0003564408.tif 000003
【図３】
0003564408.tif 000004
【図４】
0003564408.tif 000005